(57)【特許請求の範囲】
【請求項１】
ドラム支持体のドラム保持部に取付けられたドラム用支持部材と、ドラムの胴を支持し前記ドラム用支持部材に連結する連結部材とを備え、前記ドラム用支持部材の前記連結部材が取付けられる基台を木材製の基台で構成したことを特徴とするドラムの支持構造。
【請求項２】
請求項１記載のドラムの支持構造において、
前記連結部材は、振動吸収部材と取付ボルトとで構成され、サスティン調整手段を兼用することを特徴とするドラムの支持構造。
【請求項３】
請求項２記載のドラムの支持構造において、
前記サスティン調整手段は、胴の重量に応じて所要個数取付けられることを特徴とするドラムの支持構造。
【請求項４】
請求項２記載のドラムの支持構造において、
前記サスティン調整手段は、選択的に所要個数取付けられ、サスティンを調整することを特徴とするドラムの支持構造。
【発明の詳細な説明】
【技術分野】
【０００１】
本発明は、ドラムの支持構造に関するものである。
【背景技術】
【０００２】
バスドラム、スネアドラム、タムタム等のドラムを楽器用スタンド等のドラム支持体で支持させているドラムの支持構造としては、例えば特許文献１に記載されているドラムの支持構造が知られている。
【０００３】
前記特許文献１に記載されているドラムの支持構造は、ドラムのフープの少なくとも３箇所に取付孔からなるフープ側取付部を設け、これらの取付部に対応してドラム保持部（ドラム支持体）のクランプ部に設けたタムホルダーベースに支持部材を取付けている。この支持部材は、前記タムホルダーベースに支持されるブラケット部と、ドラムのフープの外周側に位置するように配設されたアーム部と、前記各フープ側取付部に対応して前記アーム部に取付けられた支持部材側取付部と、この支持部材側取付部と前記フープ側取付部とを連結する取付ボルトと、この取付ボルトとフープ側取付部との間に介在された振動吸収部材とを備えている。
【０００４】
【特許文献１】特開平７−２１０１５４号公報
【発明の開示】
【発明が解決しようとする課題】
【０００５】
しかしながら、上記した従来のドラムの支持構造は、ドラムの胴から伝わる振動エネルギーが支持部材に伝わると、支持部材を構成するブラケット、アーム部および支持部材側取付部も振動するが、これら構成部品はいずれも金属製であるため高音域で共振し、ドラムの放射音として低音域を強調することができないという問題があった。
また、金属製の上記構成部品は、振動の伝達効率が良すぎるため、支持部材を介してクランプ部やドラム保持部に振動エネルギーが伝達されてしまし、ドラムのもつ振動エネルギーの損失となるため、所望の音量やサスティン（音の伸び）を得ることができないという問題もあった。
【０００６】
本発明は上記した従来の問題を解決するためになされもので、その目的とするところは、ドラムの放射音の低音感を増大させることができ、またサスティンを容易に調整し得るようにしたドラムの支持構造を提供することにある。
【課題を解決するための手段】
【０００７】
上記目的を達成するために本発明は、ドラム支持体のドラム保持部に取付けられたドラム用支持部材と、ドラムの胴を支持し前記ドラム用支持部材に連結する連結部材とを備え、前記ドラム用支持部材の前記連結部材が取付けられる基台を木材製の基台で構成したものである。
【０００８】
また、本発明は、上記発明において、前記連結部材が振動吸収部材と取付ボルトとで構成され、サスティン調整手段を兼用するものである。
【０００９】
また、本発明は、上記発明において、前記サスティン調整手段が胴の重量に応じて所要個数取付けられるものである。
【００１０】
さらに、本発明は、上記発明において、前記サスティン調整手段が選択的に所要個数取付けられ、サスティンを調整するものである。
【発明の効果】
【００１１】
本発明においては、ドラム用支持部材の基台を木材製の基台にしたので、基台が低周波域で共振し、ドラムの放射音の低音感を増加させる。したがって、聴感的に太くて大きな音を得ることができる。
【００１２】
また、連結部材がサスティン調整手段を兼用する発明においては、振動吸収部材がドラムの振動エネルギーを吸収するため、サスティンを調整することができる。
【００１３】
また、胴の重量に応じてサスティン調整手段の数を変えるようにした発明においては、サスティンを調整することができる。すなわち、重量の重い胴は、本来的に音が伸びすぎるので、サスティン調整手段の数を増加して振動エネルギーの損失を多くすることにより、サスティンを短くすることができる。反対に、軽量な胴の場合は、本来的に音の伸びが短いので、サスティン調整手段の数を少なくして振動エネルギーの損失を少なくすることにより、サスティンを長くすることができる。これにより、胴の重量に関係なくサスティンを一様に調整することができる。
【００１４】
また、サスティン調整手段を選択的に所要個数取付けるようにした発明においては、胴の重量に関係なく奏者の好みや演奏曲目に応じてサスティンを自由に調整することができる。
【発明を実施するための最良の形態】
【００１５】
以下、本発明を図面に示す実施の形態に基づいて詳細に説明する。
図１は本発明に係るドラムの支持構造を示す外観斜視図、図２はドラム用支持部材の正面図、図３はドラム用支持部材の側断面図、図４はドラム用支持部材の平面図、図５は小型の胴にドラム用支持部材を取付けた状態を示す斜視図、図６は中型の胴にドラム用支持部材を取付けた状態を示す斜視図、図７は大型の胴にドラム用支持部材を取付けた状態を示す斜視図である。なお、図２〜図４は小型の胴に取付けられるドラム用支持部材を示している。これらの図において、本実施の形態は、ドラム１をドラム支持体である楽器用スタンド１０によって支持させたドラムの支持構造について説明する。
【００１６】
前記ドラム１は、両端が開放する円筒状に形成された胴３と、この胴３の各開口面をそれぞれ覆うように張設された２枚のドラムヘッド４と、これらのドラムヘッド４をそれぞれ支持、緊張するヘッド支持緊張手段５とを備えている。
【００１７】
前記胴３は、木材製で、図５〜図７に示すように口径が異なる大中小の３種類のサイズをもつ胴３Ａ、３Ｂ、３Ｃが用いられる。小型の胴３Ａは、口径が例えば１０インチ（２５．４ｃｍ）と１２インチ（３０．４８ｃｍ）の２種類であり、中型の胴３Ｂは口径が例えば１３インチ（３３．０２ｍｍ）または１４インチ（３５．５６ｍｍ）であり、大型の胴３Ｃは口径が例えば１５インチ（３８．２０ｍｍ）または１６インチ（４０．６４ｍｍ）である。このような胴３（３Ａ〜３Ｃ）の外周面には、後述するドラム用支持部材２０（２０Ａ〜２０Ｃ）が取付けられている。
【００１８】
前記ヘッド支持緊張手段５は、各ドラムヘッド４の外周をそれぞれ保持し胴３の外周に嵌装された一対のヘッド枠（図示せず）と、これらのヘッド枠をそれぞれ押さえ込む一対のフープ６と、これらのフープ６を連結する複数個のラグボルト７と、胴３の外周面にそれぞれ固定され前記ラグボルト７が取付けられた複数個のラグ８等で構成されている。
【００１９】
前記楽器用スタンド１０は、従来公知のものであって、筒状の支柱本体１２と、この支柱本体１２に開閉自在に取付けられた三脚１３と、支柱本体１２に伸縮自在に嵌挿されたスライド支柱１４と、このスライド支柱１４の上端に取付けられたクランプ部１５と、このクランプ部１５に設けられ前記ドラム用支持部材２０を支持する支持ロッド１６等で構成されている。
【００２０】
前記ドラム１を楽器用スタンド１０によって支持する支持構造としては、前記ドラム用支持部材２０と、このドラム用支持部材２０とドラムの胴３を連結する複数個の連結部材２１とで構成されている。
【００２１】
前記ドラム用支持部材２０は、適度な板厚と硬度を有する長方形の板状に形成された木材製の基台２２と、この基台２２の表面中央に４個の止めねじ２４およびナット２５によって固定されたクランプ部材２３と、このクランプ部材２３に螺合された蝶ねじ２６等で構成されている。前記基台２２は、図５〜図７に示すように各サイズの胴３Ａ、３Ｂ、３Ｃに応じた大きさに形成することにより、大中小の３種類の基台２２Ａ、２２Ｂ、２２Ｃが用意される。基台２２の材質としては、合板、ムク材（例えば、メイプル、バーチ、ビーチ、オーク、マホガニー、カポール、ローズウッド）等が用いられる。
【００２２】
また、各基台２２Ａ、２２Ｂ、２２Ｃには、複数個の連結部材２１が取付けられているが、その数はサスティンを調整するためにドラム１の胴３の重量（胴のサイズ、深さ）によって異なり、重量が軽い小型の胴３Ａに取付けられる基台２２Ａに対しては図５に示すように３個の連結部材２１が取付けられ、重量が中程度の中型の胴３Ｂに取付けられる基台２２Ｂに対しては図６に示すように４個の連結部材２１が取付けられ、重量が重い大型の胴３Ｃに取付けられる基台２２Ｃに対しては図７に示すように５個の連結部材２１がそれぞれ取付けられている。すなわち、連結部材２１はサスティン調整手段を兼用するもので、重量の重い大型のドラムの場合は、音が伸び過ぎるため、連結部材２１の使用個数を多くすることにより、連結部材２１による振動エネルギーの損失を多くし、サスティンを短くする。逆に重量の軽い小型のドラムの場合は音が伸び難いため、連結部材２１の使用個数を少なくすることにより、連結部材２１による振動エネルギーの損失を極力少なくし、サスティンを長くする。
【００２３】
このため、小型の基台２２Ａには、３つの連結部材２１がそれぞれ取付けられる３つの取付孔２８（図４）が形成され、中型の基台２２Ｂには、４つの連結部材２１がそれぞれ取付けられる４つの取付孔２８が形成され、大型の基台２２Ｃには、５つの連結部材２１がそれぞれ取付けられる５つの取付孔２８が形成されている。この場合、取付孔２８は、小型の基台２２Ａについては、長手方向の一端側に２個、他端側に１個形成され、中型の基台２２Ｂについては、長手方向両端部にそれぞれ２個ずつ形成され、大型の基台２２Ｃについては長手方向両端部にそれぞれ２個、中央部に１個形成されている。また、各サイズの胴３Ａ、３Ｂ、３Ｃにも、前記各の基台２２Ａ、２２Ｂ、２２Ｃの取付孔２８と同数個のボルト用挿通孔２９（図３）が形成されている。
【００２４】
前記連結部材２１は、取付ボルト３１と、この取付ボルト３１に取付けられたゴム、シリコンゴム等の振動吸収部材３２と、ナット３３とで構成されている。取付ボルト３１は、基台２２の各取付孔２８および胴３のボルト用挿通孔２９に挿通され、ナット３３が胴３の内側から螺合されることにより基台２２を胴３の外周面に固定する。振動吸収部材３２は、取付ボルト３１に嵌着されて、胴３と基台２２との間に位置し、ナット３３の締付けにより基台２２により胴３の外周面に押し付けられている。
【００２５】
前記クランプ部材２３は、亜鉛やアルミニウム合金等の金属によって台形状に形成されており、先端面中央には前記楽器用スタンド１０の支持ロッド１６が差し込まれる六角形のロッド用穴４０が形成されている。クランプ部材２３は、各基台２２Ａ、２２Ｂ、２２Ｃのサイズに関係なく同一の大きさに形成されている。前記支持ロッド１６は、ロッド用穴４０に適合する六角形のロッドからなり、ロッド用穴４０に挿抜自在に挿入されており、前記蝶ねじ２６によって固定されている。
【００２６】
このように本発明においては、ドラム用支持部材２０の基台２２を木材製としたので、ドラム１の演奏時に胴３の振動エネルギーが連結部材２１を介して基台２２に伝達されると、基台２２は低周波域で共振するため、ドラムの放射音の低音を増大させることができ、聴感的に太くて重量感のある音色を得ることができる。すなわち、低音域を強調したドラムを提供することができる。
【００２７】
また、連結部材２１を取付ボルト３１と振動吸収部材３２とで構成し、振動吸収部材３２によってドラムの振動エネルギーが楽器用スタンド１０に伝わらないようにしているので、楽器用スタンド１０による振動エネルギーの損失を少なくすることができる。この場合、振動吸収部材３２によっては楽器用スタンド１０への振動エネルギーの伝達を完全には防止することはできないが、振動吸収部材３２と楽器用スタンド１０との間にはさらに木材製の基台２２が介在しているので、振動エネルギーの楽器用スタンド１０への伝達が少なく、ドラム全体を効果的に振動させることができ、大きな音量を得ることができる。
【００２８】
図８は基台を木材と金属で製作した場合の周波数域を示す図である。同図において、Ａは基台を木材で製作した場合の周波数域、Ｂは基台を金属で製作した場合の周波数域である。この図から明らかなように、木材製の基台によれば、金属製の基台に比べて耳障りな６０００Ｈｚ以上の高周波域の振動（スタンドの共振と考えられる）を抑えることができる。
【００２９】
また、重量が異なる各サイズ（口径、深さ）の胴３Ａ、３Ｂ、３Ｃに対して基台２２Ａ、２２Ｂ、２２Ｃを胴３Ａ、３Ｂ、３Ｃにそれぞれ固定する連結部材２１の使用個数を異ならせる。すなわち、重量の軽い小型の胴３Ａについては、使用個数を少なくし、重量が重い胴３ほど使用個数を多くしているので、胴３Ａ、３Ｂ、３Ｃの重量に関係なくサスティンを略一様にすることができる。換言すれば、重量の重い大型の胴３Ｃは、本来的に音が伸びすぎるので、連結部材２１を多くして振動吸収部材３２による振動エネルギーの損失を多くすることにより、サスティンを短くすることができる。反対に、重量が軽い小型の胴３Ａの場合は、本来的に音の伸びが短いので、連結部材２１の数を少なくして振動吸収部材３２による振動エネルギーの損失を少なくすることにより、サスティンが相対的に長くなり、重量の重い胴３Ｂまたは胴３Ｃのサスティンに近づけることができる。
【００３０】
図９は４個の連結部材を用いた場合のサスティンを示す図、図１０は５個の連結部材を用いた場合のサスティンを示す図である。
これらの図から明らかなように、連結部材２１を４個用いた場合に比べて５個用いた方が音の減衰が早いことが分かる。
【００３１】
サスティンの調整については、上記した胴３Ａ、３Ｂ、３Ｃの重量に拠らず奏者の好みや演奏曲目によって変えるようにすることもできる。すなわち、サスティンを通常よりも伸ばしたい場合は、連結部材２１を通常よりも適宜個数、例えば小型の胴３Ａの場合は連結部材２１を１個減らし、中型の胴３Ｂの場合は同じく通常よりも連結部材２１を１個または２個減らし、大型の胴３Ｃの場合は同様に通常よりも連結部材２１を１個、２個または３個減らせばよい。一方、サスティンを通常よりも短くしたい場合は、例えば図１２に示すように、ゴム、シリコンゴム、発泡スチロール等によって形成した楔形の振動吸収部材５０をサスティン調整手段として胴と基台２２の間に適宜個数介在させるか、あるいは予め基台２２にサスティン調整用のねじ穴を形成しておき、このねじ穴に連結部材２１と同様なボルトと振動吸収部材とからなるサスティン調整手段を取付け、ボルトの先端を胴本体の外周面に接触させればよい。
このようなサスティン調整手段を用いれば、胴３自体には何ら加工を施す必要がなく、サスティンを自由に調整することが可能である。
【図面の簡単な説明】
【００３２】
【図１】本発明に係るドラムの支持構造を示す外観斜視図である。
【図２】ドラム用支持部材の正面図である。
【図３】ドラム用支持部材の側断面図である。
【図４】ドラム用支持部材の平面図である。
【図５】小型の胴にドラム用支持部材を取付けた状態を示す斜視図である。
【図６】中型の胴にドラム用支持部材を取付けた状態を示す斜視図である。
【図７】大型の胴にドラム用支持部材を取付けた状態を示す斜視図である。
【図８】基台を木材と金属で製作した場合の周波数域を示す図である。
【図９】４個の連結部材を用いた場合のサスティンを示す図である。
【図１０】５個の連結部材を用いた場合のサスティンを示す図である。
【図１１】本発明の他の実施の形態を示す基台の斜視図である。
【符号の説明】
【００３３】
１…ドラム、２…楽器用スタンド、３、３Ａ、３Ｂ、３Ｃ…胴、１６…支持ロッド、２０、２０Ａ、２０Ｂ、２０Ｃ…ドラム用支持部材、２１…連結部材（サスティン調整手段）、２２、２２Ａ、２２Ｂ、２２Ｃ…基台、３１…取付ボルト、３２…振動吸収部材、５０…サスティン調整手段。
【図１】
0005286791.tif 000002
【図２】
0005286791.tif 000003
【図３】
0005286791.tif 000004
【図４】
0005286791.tif 000005
【図５】
0005286791.tif 000006
【図６】
0005286791.tif 000007
【図７】
0005286791.tif 000008
【図８】
0005286791.tif 000009
【図９】
0005286791.tif 000010
【図１０】
0005286791.tif 000011
【図１１】
0005286791.tif 000012